(57)【要約】【課題】エレベーターのかご停止位置を任意の位置に遠隔操作できるエレベーターの遠隔操作装置を提供する。【解決手段】巻上装置６を駆動する駆動装置７と、駆動装置７へ駆動信号を送信して駆動装置７を制御する制御装置８とを備えたエレベーターを遠隔操作するエレベーターの遠隔操作装置であって、エレベーターの操作指令を入力する操作端末９と、操作端末９から出力された信号ａ１を受信する信号受信装置１０と、信号受信装置１０から出力される信号ａ２の内容を解析する信号解析装置１１とを備え、信号解析装置１１で解析した信号ａ３を制御装置８に送信し、エレベーターを操作する。【選択図】図１
2011098798.tif 000002
【特許請求の範囲】
【請求項１】
巻上装置を駆動する駆動装置と、前記駆動装置へ駆動信号を送信して前記駆動装置を制御する制御装置と、を備えたエレベーターを遠隔操作するエレベーターの遠隔操作装置であって、
前記エレベーターの操作指令を入力する操作端末と、前記操作端末から出力された信号を受信する信号受信装置と、前記信号受信装置から出力される信号の内容を解析する信号解析装置とを備え、前記信号解析装置で解析した信号を前記制御装置に送信し、前記エレベーターを操作することを特徴とするエレベーターの遠隔操作装置。
【請求項２】
前記制御装置から前記駆動装置に送信される信号を受信し、かごの移動距離情報を表示する表示装置を備えたことを特徴とする請求項１に記載のエレベーターの遠隔操作装置。
【発明の詳細な説明】
【技術分野】
【０００１】
この発明は、エレベーターの遠隔操作装置に係り、特に、エレベーター保守点検時等におけるかご停止位置を遠隔操作するエレベーターの遠隔操作装置に関するものである。
【背景技術】
【０００２】
従来、エレベーター保守点検時のかご停止位置設定を自動化したエレベーターかご位置設定装置がある（例えば、特許文献１参照）。
【先行技術文献】
【特許文献】
【０００３】
【特許文献１】特公平７−１０８７５０号公報
【発明の概要】
【発明が解決しようとする課題】
【０００４】
前記特許文献１に開示されたエレベーターかご位置設定装置は、エレベーターの保守点検時に、かご巻上用電動機を駆動制御するエレベーター制御装置に、あらかじめ複数の保守点検停止位置を記憶した記憶部を備え、この記憶部に記憶されたデータに従ってかご巻上用電動機を駆動制御し、かご位置決め制御を行うことを可能にするものである。この特許文献１に開示されたエレベーターかご位置設定装置によれば、かご位置設定を自動化し省力化すると共に、効率的にかご位置設定を行うことができる。
【０００５】
しかし、前記特許文献１に開示された技術では、複数の保守点検停止位置をあらかじめ決定し設定しているため、保守員が任意の位置にかごを停止させることができず、メンテナンスの幅が狭くなる課題がある。
【０００６】
この発明は、前記従来技術の課題に鑑みてなされたもので、エレベーターのかご停止位置を任意の位置に遠隔操作できるエレベーターの遠隔操作装置の提供を目的とするものである。
【課題を解決するための手段】
【０００７】
この発明に係るエレベーターの遠隔操作装置は、巻上装置を駆動する駆動装置と、前記駆動装置へ駆動信号を送信して前記駆動装置を制御する制御装置と、を備えたエレベーターを遠隔操作するエレベーターの遠隔操作装置であって、前記エレベーターの操作指令を入力する操作端末と、前記操作端末から出力された信号を受信する信号受信装置と、前記信号受信装置から出力される信号の内容を解析する信号解析装置とを備え、前記信号解析装置で解析した信号を前記制御装置に送信し、前記エレベーターを操作するものである。
【発明の効果】
【０００８】
この発明に係るエレベーターの遠隔操作装置によれば、エレベーターのかご停止位置を任意の位置に遠隔操作できるので、メンテナンスの幅を広げることができる。
【図面の簡単な説明】
【０００９】
【図１】この発明の実施の形態１に係るエレベーターの遠隔操作装置を説明するシステム構成図である。
【図２】この発明の実施の形態１に係るエレベーターの遠隔操作装置に使用されるデータの具体例を説明する図である。
【図３】この発明の実施の形態１に係るエレベーターの遠隔操作装置に使用される各情報の取り扱い状況を時系列に示した図である。
【図４】この発明の実施の形態２に係るエレベーターの遠隔操作装置を説明するシステム構成図である。
【発明を実施するための形態】
【００１０】
以下、添付の図面を参照して、この発明に係るエレベーターの遠隔操作装置について好適な実施の形態を説明する。なお、この実施の形態によりこの発明が限定されるものではない。
【００１１】
実施の形態１．
図１は、この発明の実施の形態１に係るエレベーターの遠隔操作装置を説明するシステム構成図である。図１において、乗場１を有する建築物に形成された昇降路２の上部に制御室３が設けられている。制御室３には、ロープ４で支えられたかご５を昇降させる巻上装置６と、巻上装置６を駆動する駆動装置７と、駆動装置７へ駆動信号を送信し、駆動装置７を制御する制御装置８が設置されている。制御装置８は、かご５の移動を制御すると共に、かご５の移動方向、移動させた距離を把握するように構成されている。なお、駆動装置７は、制御装置８がその機能を持つ構成であっても良い。
【００１２】
かご５内には、かご５を操作するための信号を発生し、送信する操作端末９と、操作端末９からの信号を受信する信号受信装置１０と、信号受信装置１０から出力される信号を解析する信号解析装置１１と、後述する動作によりかご４の移動距離情報を出力する表示装置１２が備えられている。なお、操作端末９、信号受信装置１０、信号解析装置１１、及び表示装置１２により、エレベーターの遠隔操作装置を構成しているが、操作端末９は、必ずしもかご５内に備える必要はなく、持ち運び自由の携帯操作端末であっても良く、また、信号受信装置１０は、信号解析装置１１がその機能を持つ構成であっても良い。
【００１３】
実施の形態１に係るエレベーターの遠隔操作装置は前記のように構成されており、次にその動作について説明する。図１において、操作端末９より発信した操作信号ａ１は、信号受信装置１０で受信され、受信情報ａ２として信号解析装置１１に送信される。信号解析装置１１は、受け取った受信情報ａ２の内容を解析し、制御装置８に対し制御情報ａ３として送信する。
【００１４】
制御装置８は受信した制御情報ａ３を元に、かご５の移動方向、移動させたい距離を表示情報ａ４として表示装置１２に送信すると共に、かご制御情報ａ５として駆動装置７に送信する。表示装置１２は、制御装置８からの表示情報ａ４を受けてかご５の移動方向、移動距離を出力する。また、駆動装置７は、かご制御情報ａ５によりかご５の移動量をかご移動情報ａ６として巻上装置６に送り、巻上装置６は受信したかご移動情報ａ６に基づいてロープ４に対して巻き上げ制御を行う。
【００１５】
図２は、図１で示したデータａ１〜ａ６の具体例を説明する図である。図２において、操作信号ａ１は、利用者がかご５を任意に移動させるために操作端末９より発信した無線信号のことで、例えば赤外線などの無線信号である。受信情報ａ２は信号受信装置１０が操作信号ａ１を検出し、受信した情報のことである。また、制御情報ａ３は、受信情報ａ２の中身を信号解析装置１１で解析し、受信情報ａ２の内容がかご５をどのように移動させるのかを割り出した、かご５の移動を制御する情報のことで、例えば、上昇方向に移動、下降方向に移動、停止といった情報のことである。
【００１６】
表示情報ａ４は、制御装置８が制御情報ａ３の内容を解析してかご５を移動させる際に、表示装置１２に対して送信する、かご５の移動距離を数値で示した情報のことで、例えば、−１０ｃｍ、＋７ｍｍ、±０ｍｍといった情報のことである。かご制御情報ａ５は、制御装置８が制御情報ａ３の内容を解析してかご５を移動させる際に、駆動装置７に対して送信する、かご５を移動させるために駆動装置７を起動させる情報のことで、例えば、ロープ４を１０ｃｍ下ろす、ロープ４を７ｃｍ巻き上げる、巻き上げを停止させるといった情報のことである。また、かご移動情報ａ６は、駆動装置７がかご制御情報ａ５の内容に基づいて、かご５を任意の距離移動させるために巻上装置６を起動させる情報のことで、例えば、１０ｃｍ下げる、７ｍｍ巻き上げる、停止といった情報のことである。
【００１７】
図３は、図１で示した各情報を各装置がどのように扱っているかを時系列に示し、説明する図である。図３において、かご５を任意に移動させたい場合に、操作者が操作端末９を用いて移動方向の信号を入力する（操作信号入力ｂ０）。
【００１８】
操作端末９は、入力された信号に基づいてかご５を任意の方向に移動させるための情報（操作信号ａ１）を作成し、信号受信装置１０に対して発信する（かご操作情報送信ｂ１）。
【００１９】
信号受信装置１０は、操作信号ａ１を受信すると、受信情報ａ２を作成して信号解析装置１１に送信する（受信情報送信ｂ２）。
【００２０】
信号解析装置１１は、受信情報ａ２の内容を解析し、かご５を任意の方向に移動する情報を抽出して、制御装置８に対して制御情報ａ３を送信する（解析結果情報送信ｂ３）。
【００２１】
制御装置８は、制御情報ａ３の内容からかご５を移動させる距離を算出し、算出した結果を表示情報ａ４として表示装置１２に送信し（かご移動情報送信ｂ４）、表示装置１２は、受信した表示情報ａ４と現在表示している内容から更新する情報を作成し、表示の更新を行う（かご位置表示ｂ５）。
【００２２】
制御装置８は、かご移動情報送信ｂ４を実施すると同時に、駆動装置７に対し、制御情報ａ３の内容から割り出した移動距離の情報をかご制御情報ａ５として送信する（駆動情報送信ｂ６）。
【００２３】
駆動装置７は、受信したかご制御情報ａ５の内容からロープ４の巻き上げを行う量を算出し、算出した結果をかご移動情報ａ６として巻上装置６に送信する（巻上情報送信ｂ７）。
【００２４】
巻上装置６は、受信したかご移動情報ａ６の内容に基づき、ロープ４に対して巻き上げ処理を行い、かご５の移動を行う（巻上実施ｂ８）。
【００２５】
以上のように、実施の形態１に係るエレベーターの遠隔操作装置によれば、エレベーターのかご停止位置を任意の位置に遠隔操作でき、かつ、移動させたかご５の位置を数値で表示することで、例えばドアゾーンの開始位置を正確に把握する等、メンテナンスの幅を広げることができる。
【００２６】
また、かご５の位置（移動距離）が確認できるため、従来、かご５の上で保守作業を行う際に、一人がかご５に乗込んで手動でかご５を動かし、もう一人がかご５の上に乗って作業をする等の手間を減らすことができる。
【００２７】
実施の形態２．
実施の形態１においては、操作端末９、信号受信装置１０、信号解析装置１１、及び表示装置１２により構成されるエレベーターの遠隔操作装置がかご５内に備えられた場合について図示説明したが、前記エレベーターの遠隔操作装置を乗場１に設けてもよい。
【００２８】
図４は、実施の形態２に係るエレベーターの遠隔操作装置を説明するシステム構成図である。図４において、図１と同一符号は同一もしくは相当部分を示している。
実施の形態２に係るエレベーターの遠隔操作装置は、乗場１に設けられた信号解析装置１１から制御情報ａ３が制御装置８に送信され、制御装置８は、制御情報ａ３の内容からかご５を移動させる距離を算出し、算出した結果を表示情報ａ４として乗場１に設けられた表示装置１２に送信する。そして、表示装置１２は、受信した表示情報ａ４と現在表示している内容から更新する情報を作成し、表示の更新を行う。その他の動作は実施の形態１と同様であり、説明を省略する。なお、この場合においても操作端末９は、必ずしも乗場１に設ける必要はなく、持ち運び自由の携帯操作端末であってもよい。
【００２９】
ところで、実施の形態２のように、操作端末９、信号受信装置１０、信号解析装置１１、及び表示装置１２により構成されるエレベーターの遠隔操作装置を乗場１に備えると共に、実施の形態１のようにかご５内に備えることも考えられるが、どちらか一方に設ければ良く、乗場１とかご５の両方への設置は必須ではない。
【００３０】
以上のように、実施の形態２に係るエレベーターの遠隔操作装置においても実施の形態１と同様の効果を得ることができる。
【符号の説明】
【００３１】
１  乗場
２  昇降路
３  制御室
４  ロープ
５  かご
６  巻上装置
７  駆動装置
８  制御装置
９  操作端末
１０  信号受信装置
１１  信号解析装置
１２  表示装置
ａ１  操作信号
ａ２  受信情報
ａ３  制御情報
ａ４  表示情報
ａ５  かご制御情報
ａ６  かご移動情報
【図１】
2011098798.tif 000003
【図２】
2011098798.tif 000004
【図３】
2011098798.tif 000005
【図４】
2011098798.tif 000006